(57)【要約】      （修正有）【課題】キッチンテーブルを構成する化粧板が排出空気による温度変化及び湿気を受けることがない食器洗浄機を提供するものである。【解決手段】食器洗浄機１００は筐体１０と洗浄槽２０とドア部１１と洗浄槽２０の内部の空気を排出させる第１送風装置１４と排気機構部３０とを有し、排気機構部３０は空気の排出経路を形成する導風部と、導風部内に洗浄槽の外部の空気を供給する第２送風装置とを有し、導風部は第１送風装置１４によって洗浄槽２０から浸入した空気が上方に向かう上昇経路と、上昇経路を通過した空気が下方に向かう下降経路とを有し、第２送風装置により供給される空気が下降経路に供給される構成とすることで、洗浄槽２０から排出される空気と洗浄槽２０の外部の空気とが混合される混合室を形成するものであって、排出空気の温度及び湿度を調整することができる。【選択図】図２
2019165819.tif 000002
【特許請求の範囲】
【請求項１】
前面に開口部が形成された筐体と、
前記筐体の内部に収容される洗浄槽と、
前記洗浄槽の前方に取り付けられ前記開口部を覆うドア部と、
前記洗浄槽の内部に前記洗浄槽の外部の空気を供給し、前記洗浄槽の内部の空気を排出させる第１送風装置と、
を有し、
前記洗浄槽は、
前記ドア部と対向する前壁部に取り付けられ、前記洗浄槽から排出される空気の状態を変化させる排気機構部を有し、
前記排気機構部は、
前記洗浄槽の前記前壁部に形成された吸気口と、前記ドア部に形成された排気口との間の空気の排出経路を形成する導風部と、
前記導風部内に前記洗浄槽の外部の空気を供給する第２送風装置と、
前記導風部と前記第２送風装置とを接続する送風管と、
を有し、
前記導風部は、
前記第１送風装置の作動によって前記洗浄槽の前記吸気口から前記導風部内に浸入した空気が、前記吸気口から上方に向かう管路を形成する上昇経路と、
上端部が前記上昇経路と連通し、下端部が前記ドア部の排気口と連通し、前記上昇経路を通過した空気が下方に向かう管路を形成する下降経路と、
を有し、
前記送風管の上端部が前記下降経路の上端部に接続され、前記送風管の下端部に接続された前記第２送風装置により供給される空気が前記下降経路に供給されて、前記下降経路が前記洗浄槽から排出される空気と前記洗浄槽の外部の空気とが混合される混合室を形成する食器洗浄機。
【請求項２】
前記第１送風装置を制御する制御装置を更に有し、
前記制御装置は、
前記第１送風装置の電源を入れ又は電源を切ることで前記第１送風装置の風量を調整し、前記混合室における空気の温度及び湿度を調整する請求項１に記載の食器洗浄機。
【請求項３】
前記第２送風装置を制御する制御装置を更に有し、
前記制御装置は、
前記第２送風装置の電源を入れ又は電源を切ることで前記第２送風装置の風量を調整し、前記混合室における空気の温度及び湿度を調整する請求項１に記載の食器洗浄機。
【請求項４】
前記第１送風装置と前記第２送風装置とを制御する制御装置を更に有し、
前記制御装置は、
前記第１送風装置の電源を入れ又は電源を切ることで前記第１送風装置の風量を調整すると共に、
前記第２送風装置の電源を入れ又は電源を切ることで前記第２送風装置の風量を調整し、
前記混合室における空気の温度及び湿度を調整する請求項１に記載の食器洗浄機。
【請求項５】
前記送風管の上端部は、
前記下降経路の上端部において、前記上昇経路から前記下降経路に向かう空気の流れ方向の側方に接続されている請求項１〜４のいずれか１項に記載の食器洗浄機。
【請求項６】
前記導風部は、
前記下降経路の上方に位置する天井壁部に、上方に膨出する膨出部と、
前記膨出部の内部に配置された風向板と、
を有し、
前記送風管の上端部は、前記膨出部に接続され、
前記風向板は、前記送風管の先端部と対向し、前記送風管から供給される空気の進行方向に配置されており、
鉛直方向において、前記風向板と前記送風管との間の距離が下方に向かうに従い大きくなっている請求項１〜４のいずれか１項に記載の食器洗浄機。
【請求項７】
前記風向板の上端部は、前記送風管の先端部に向かって湾曲している請求項６に記載の食器洗浄機。
【請求項８】
前記洗浄槽は、
前記前壁部と、前記前壁部と対向する後壁部と、前記前壁部と前記後壁部との間に位置する互いに対向する側壁部と、を有し、
互いに対向する前記側壁部のそれぞれは、
前記前壁部から前記ドア部に向かって延長された延設部を有し、
前記延設部には、複数の貫通孔が上下方向に配列して形成されている請求項１〜７のいずれか１項に記載の食器洗浄機。
【請求項９】
前記複数の貫通孔は、前記延設部が切り起こされて鎧板を備えた鎧窓状に構成されている請求項８に記載の食器洗浄機。
【請求項１０】
前記第２送風装置は、前記導風部の下方に配置されている請求項１〜９のいずれか１項に記載の食器洗浄機。
【発明の詳細な説明】
【技術分野】
【０００１】
本発明は、食器類の洗浄を行う食器洗浄機に関するものである。
【背景技術】
【０００２】
従来の食器洗浄機には、システムキッチンに収容される食器洗浄機が提案されている（例えば、特許文献１参照）。特許文献１の食器洗浄機は、食器洗浄機本体より洗浄槽を引き出し、この洗浄槽内に食器を収納してこの食器の洗浄を行うものである。
【先行技術文献】
【特許文献】
【０００３】
【特許文献１】特開２００１−０４６３０１号公報
【発明の概要】
【発明が解決しようとする課題】
【０００４】
特許文献１に記載の食器洗浄機の構成では、システムキッチンに収容された状態で、洗浄槽内の空気を排出するためには、洗浄槽の前方に排気口を配置する必要がある。しかしながら、洗浄槽から排出される空気は、高温かつ湿気を含んでいる。したがって、洗浄槽内から食器洗浄機の外部にそのまま洗浄槽内の空気を排出させるとシスステムキッチンのキッチンテーブルを構成する化粧板に温度変化及び湿気を与え、化粧板を腐敗させる恐れがある。
【０００５】
本発明は、上記のような課題を解決するものであり、キッチンテーブルを構成する化粧板が排出空気による温度変化及び湿気を受けることがない食器洗浄機を提供するものである。
【課題を解決するための手段】
【０００６】
本発明に係る食器洗浄機は、前面に開口部が形成された筐体と、筐体の内部に収容される洗浄槽と、洗浄槽の前方に取り付けられ開口部を覆うドア部と、洗浄槽の内部に洗浄槽の外部の空気を供給し、洗浄槽の内部の空気を排出させる第１送風装置と、を有し、洗浄槽は、ドア部と対向する前壁部に取り付けられ、洗浄槽から排出される空気の状態を変化させる排気機構部を有し、排気機構部は、洗浄槽の前壁部に形成された吸気口と、ドア部に形成された排気口との間の空気の排出経路を形成する導風部と、導風部内に洗浄槽の外部の空気を供給する第２送風装置と、導風部と第２送風装置とを接続する送風管と、を有し、導風部は、第１送風装置の作動によって洗浄槽の吸気口から導風部内に浸入した空気が、吸気口から上方に向かう管路を形成する上昇経路と、上端部が上昇経路と連通し、下端部がドア部の排気口と連通し、上昇経路を通過した空気が下方に向かう管路を形成する下降経路と、を有し、送風管の上端部が下降経路の上端部に接続され、送風管の下端部に接続された第２送風装置により供給される空気が下降経路に供給されて、下降経路が洗浄槽から排出される空気と洗浄槽の外部の空気とが混合される混合室を形成するものである。
【発明の効果】
【０００７】
本発明による食器洗浄機は、上昇経路と下降経路とを形成する導風部と、導風部に洗浄槽の外部の空気を供給する第２送風装置と、導風部と第２送風装置とを接続する送風管と、を有する。そして、食器洗浄機は、送風管の上端部が下降経路の上端部に接続され、送風管の下端部に接続された第２送風装置により供給される空気が下降経路に供給されて、下降経路が洗浄槽から排出される空気と洗浄槽の外部の空気とが混合される混合室を形成するものである。この混合室内では、洗浄槽内から導風部内に排出された空気が、第２送風装置によって供給される洗浄槽の外部の空気と混合されることで、温度及び湿度が調整される。その結果、キッチンテーブルを構成する化粧板は、食器洗浄機の外部に排出される洗浄槽内の空気によって温度変化及び湿気を受けることがない。
【図面の簡単な説明】
【０００８】
【図１】本発明の実施の形態１に係る食器洗浄機の正面図である。
【図２】図１の食器洗浄機のＡ−Ａ線断面模式図である。
【図３】図２の洗浄槽の正面図である。
【図４】図３の制御装置のブロック図である。
【図５】図３の洗浄槽のＢ部における排気機構部の拡大図である。
【図６】図３の洗浄槽と排気機構部のＣ−Ｃ線断面図である。
【図７】図６の洗浄槽のＤ部における排気機構部の拡大図である。
【図８】本発明の実施の形態２の食器洗浄機の洗浄槽の正面図である。
【図９】図８の洗浄槽のＥ部における排気機構部の拡大図である。
【図１０】本発明の実施の形態３の食器洗浄機の洗浄槽の斜視図である。
【図１１】図１０の延設部のＦ部における断面図である。
【発明を実施するための形態】
【０００９】
以下、本発明の実施の形態に係る食器洗浄機１００について、図面を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】
実施の形態１．
図１は、本発明の実施の形態１に係る食器洗浄機１００の正面図である。図２は、図１の食器洗浄機１００のＡ−Ａ線断面模式図である。図１及び図２を参照して食器洗浄機１００の各部の構成を説明する。なお、以下の図面に示すＸ軸は、Ｘ１側を左、Ｘ２側を右として食器洗浄機１００の左右の幅方向を示す。また、Ｙ軸は、Ｙ１側を前、Ｙ２側を後として食器洗浄機１００の前後の奥行き方向を示す。さらに、Ｚ軸は、Ｚ１側を上、Ｚ２側を下として食器洗浄機１００の上下方向を示すものである。Ｘ軸、Ｙ軸、Ｚ軸は、直交しており、Ｘ軸とＹ軸とは水平方向であり、Ｚ軸はＸ軸とＹ軸とに対して垂直方向である。
【００１１】
［食器洗浄機１００］
本発明の実施の形態１に係る食器洗浄機１００は、例えば、キッチンテーブルに組み込まれて使用される食器類８０を洗浄するための洗浄機である。図２に示すように、食器洗浄機１００は、食器洗浄機１００の外郭となる筐体１０と、筐体１０の内部に収容され食器類８０を収納する洗浄槽２０と、を有する。また、食器洗浄機１００は、洗浄槽２０の上面に設けられており、洗浄槽２０の上面開口部２０ａを開閉する蓋体２１と、洗浄槽２０の前方に取り付けられており、筐体１０の内部に収容された洗浄槽２０が取り出される際に開閉されるドア部１１と、を備えている。さらに、食器洗浄機１００は、食器洗浄機１００の動作を制御する制御装置１８を備えている。
【００１２】
（筐体１０）
筐体１０は、箱状に形成されており、筐体１０の前面には前面開口部１０ａが形成されている。前面開口部１０ａは、筐体１０の前面の壁部を貫通する開口であり、この前面開口部１０ａには、ドア部１１が配置されている。この前面開口部１０ａを介して洗浄槽２０が、筐体１０の内部に収容され、また、筐体１０から外部に引き出される。筐体１０の内部には、給水弁１２が設けられている。給水弁１２は、筐体１０の外部から水道水を洗浄槽２０内に供給し、また、洗浄槽２０内への水道水の供給を停止する弁である。また、筐体１０の内部には、洗浄槽２０の後方に、空気を加熱して温風にするための乾燥用ヒーター１３と、その温風を洗浄槽２０内に供給するための第１送風装置１４と、がそれぞれ取り付けられている。第１送風装置１４は、乾燥用ヒーター１３により暖められた空気を洗浄槽２０内に供給する。すなわち、第１送風装置１４は、洗浄槽２０の内部に洗浄槽２０の外部の空気を供給すると共に、供給した空気によって洗浄槽２０の内部の空気を食器洗浄機１００の外部に排出させる。
【００１３】
（洗浄槽２０）
洗浄槽２０は、箱状に形成されており、洗浄槽２０の上面には上面開口部２０ａが形成されている。上面開口部２０ａは、洗浄槽２０の上面に形成された開口であり、使用者は、上面開口部２０ａを介して洗浄槽２０の内部に食器類８０を収納し、また、洗浄槽２０の内部から食器類８０を取り出すことができる。洗浄槽２０の内部に収納される食器類８０は、洗浄槽２０内に設けられた食器かご８１に載置される。洗浄槽２０の底壁部２０ｂの少なくとも一部に、鉛直下方向（Ｚ軸方向）に膨出した凹部２２が設けられている。凹部２２の四側面のうちいずれかの側面部あるいは底面部には、洗浄槽２０内に貯留される洗浄用水の水位を検知する水位検知装置２３と、洗浄用水の温度を検知する水温検知装置２４と、洗浄用水を加熱する湯沸かしヒーター２５とがそれぞれ取り付けられている。また、洗浄用水を加圧する加圧ポンプ２６は、凹部２２の側面に形成された開口と連通して取り付けられている。
【００１４】
加圧ポンプ２６は、洗浄槽２０の外部に設けられている。加圧ポンプ２６によって加圧された洗浄用水は、洗浄槽２０の底壁部２０ｂに設けられた軸部２７を通って、洗浄ノズル２８に送られる。軸部２７は、一端が加圧ポンプ２６と接続し、他端が洗浄ノズル２８と接続する。洗浄ノズル２８には複数の貫通孔が形成されており、加圧ポンプ２６から加圧されて送られた洗浄用水が、貫通孔から噴射される。洗浄ノズル２８は、食器類８０の下方に配置されている。そして、加圧ポンプ２６によって送られた洗浄用水が、洗浄ノズル２８から食器類８０に向けて噴射され、食器類８０が洗浄される。また、加圧ポンプ２６と同様に、洗浄槽２０の外部には排水ポンプ２９が設けられている。排水ポンプ２９は、排水配管２９ａを介して洗浄槽２０の凹部２２と連通しており、洗浄槽２０内に貯留されている洗浄用水を排水するものである。
【００１５】
洗浄槽２０は、筐体１０に設けられた固定レール１５と洗浄槽２０に設けられた可動レール（図示せず）とにより、ドア部１１を筐体１０から正面側に引き出すことで前方（Ｙ１側）に移動させることができる。また、筐体１０には洗浄槽２０が必要なとき以外は前方へ移動しないよう、洗浄槽２０を筐体１０の内部に保持するための保持機構１６が設けられている。洗浄槽２０を筐体１０の内部方向（Ｙ２側）に所定の保持位置まで押し込むと、洗浄槽２０は保持機構１６により所定の位置に保持される。このとき保持機構１６は、例えばバネ等の弾性体（図示せず）によって洗浄槽２０が引き出される方向（Ｙ１方向）とは反対の力で付勢されるようになり、洗浄槽２０を筐体１０内に保持することができる。
【００１６】
（蓋体２１）
蓋体２１は、洗浄槽２０の上部に形成された上面開口部２０ａを開閉し、洗浄槽２０の内部と外部とを区画する。蓋体２１は、筐体１０の内面上部に設けられている。蓋体２１には、リンク機構（図示せず）の一端が取り付けられていて、リンク機構の他端は筐体１０の内面上部に取り付けられている。そして、このリンク機構により、蓋体２１は、洗浄槽２０が筐体１０から引き出される際に持ち上げられて洗浄槽２０を開放し、洗浄槽２０が筐体１０に収納される際に下降して洗浄槽２０を閉塞する。また、蓋体２１は、リンク機構によって、洗浄槽２０が筐体１０から引き出される際に、洗浄槽２０と一緒に筐体１０から引き出されないように構成されている。
【００１７】
（ドア部１１）
図１及び図２に示すように、食器洗浄機１００の正面にはドア部１１が設けられている。ドア部１１は、洗浄槽２０の前方に取り付けられ筐体１０の前面開口部１０ａを覆う。ドア部１１は、筐体１０の前面側の壁部の一部を構成する。ドア部１１の上部には、筐体１０から正面側（Ｙ１側）に洗浄槽２０を引き出す際に手を掛けるための手掛け部１７が設けられている。ドア部１１は、上部に操作パネル１９を有し、操作パネル１９の左右方向（Ｘ軸方向）の右側には操作部１９ａが設けられている。操作部１９ａは、使用者による操作指示の入力を受け付け、これに対応した操作信号を制御装置１８に出力するものである。操作部１９ａには、食器洗浄機１００の電源を入れるための電源スイッチ１９ａ１と、食器洗浄機１００の運転をスタートさせ、または、一時停止させる運転スイッチ１９ａ２とが設けられている。また、ドア部１１の左右方向（Ｘ軸方向）の左側（Ｘ１側）かつ上下方向（Ｚ軸方向）のほぼ中央には、洗浄槽２０内の空気を食器洗浄機１００の外部へ排出する排気口１１ａが形成されている。
【００１８】
図３は、図２の洗浄槽２０の正面図である。図３に示すように、洗浄槽２０の前壁部２０ｃには制御装置１８と、排気機構部３０とが取り付けられている。この前壁部２０ｃは、ドア部１１と対向する壁面であり、前壁部２０ｃとドア部１１との間には空間が形成されている。より詳細には、図２及び図３に示すように、制御装置１８と、排気機構部３０とは、前壁部２０ｃのドア部１１と対向する面に取り付けられており、ドア部１１と洗浄槽２０の前壁部２０ｃとの間の空間に配置されている。図３に示すように、制御装置１８は、前壁部２０ｃの右下部取り付けられている。また、図３に示すように、前壁部２０ｃの左上部には、側部開口３３が形成されている。そして、排気機構部３０は、この洗浄槽２０の前壁部２０ｃに形成された側部開口３３に取り付けられている。排気機構部３０は、洗浄槽２０内の空気を食器洗浄機１００の外部に排出する機構であり、洗浄槽２０から排出される空気の状態を変化させる機構である。なお、空気の状態とは、例えば、温度あるいは湿度である。
【００１９】
（制御装置１８）
図４は、図３の制御装置１８のブロック図である。制御装置１８は、例えば、専用のハードウェア、または記憶部に格納されるプログラムを実行するＣＰＵ（Central Processing Unit、中央処理装置、処理装置、演算装置、マイクロプロセッサ、マイクロコンピュータ、プロセッサともいう）で構成される。制御装置１８は、食器洗浄機１００を構成する各機器の動作を制御するものである。制御装置１８は、水位検知装置２３及び水温検知装置２４によって検知された情報を受信する。制御装置１８は、給水弁１２、加圧ポンプ２６、湯沸かしヒーター２５、排水ポンプ２９、第１送風装置１４、乾燥用ヒーター１３、第２送風装置５０等を制御する。制御装置１８は、また計時機能を備える。例えば、制御装置１８は、洗浄工程、すすぎ工程、加熱すすぎ工程、乾燥工程等のいずれか１つ以上の工程において、所定の時間の間隔で第１送風装置１４の電源を入れ又は電源を切り、第１送風装置１４から洗浄槽２０内に送風される空気の風量を調整する。その結果、制御装置１８は、洗浄槽２０から食器洗浄機１００の外部に排出される空気の温度及び湿度を調整することができる。同様に、制御装置１８は、洗浄工程、すすぎ工程、加熱すすぎ工程、乾燥工程等のいずれか１つ以上の工程において、所定の時間の間隔で第２送風装置５０の電源を入れ又は電源を切り、第２送風装置５０から後述する導風部３１に供給される空気の風量を調整する。その結果、制御装置１８は、洗浄槽２０から食器洗浄機１００の外部に排出される空気の温度及び湿度を更に調整することができる。さらに、制御装置１８は、洗浄工程、すすぎ工程、加熱すすぎ工程、乾燥工程等のいずれか１つ以上の工程において、所定の時間の間隔で第１送風装置１４の電源を入れ又は電源を切り、第１送風装置１４から洗浄槽２０内に送風される空気の風量を調整する。そして、制御装置１８は、第１送風装置１４の制御と共に、いずれか１つ以上の工程において、所定の時間の間隔で第２送風装置５０の電源を入れ又は電源を切り、第２送風装置５０から後述する導風部３１に供給される空気の風量を調整してもよい。その結果、制御装置１８は、洗浄槽２０から食器洗浄機１００の外部に排出される空気の温度及び湿度を更に調整することができる。また、制御装置１８は、第１送風装置１４の電源を入れ又は電源を切る制御と共に、乾燥用ヒーター１３の電源を入れ又は電源を切る制御を行うことで、洗浄槽２０から食器洗浄機１００の外部に排出される空気の温度及び湿度を調整することができる。
【００２０】
（排気機構部３０）
図５は、図３の洗浄槽２０のＢ部における排気機構部３０の拡大図である。図５を用いては排気機構部３０の構成について説明する。排気機構部３０は第２送風装置５０と、送風管３２と、導風部３１と、を有する。
【００２１】
（第２送風装置５０）
第２送風装置５０は、洗浄槽２０の外部の空気を導風部３１内の風路に供給する。第２送風装置５０によって導風部３１内に供給された空気は、導風部３１内を通る洗浄槽２０内の加熱された空気と混合することで、食器洗浄機１００の外部には温度及び湿度の調整された空気が排出される。第２送風装置５０は、例えば、モータとファンとを有し、モータの回転に伴うファンの回転により洗浄槽２０の外部の空気を吸い込み、吸い込んだ空気を導風部３１内に供給する。第２送風装置５０は、導風部３１の下方に配置されている。第２送風装置５０を、導風部３１の下方に配置することで、食器洗浄機１００の下方に位置する温度の低い空気を吸い込むことができ、低い温度の空気を導風部３１内に供給することができる。
【００２２】
（送風管３２）
送風管３２は、第２送風装置５０と導風部３１とを接続する管であり、第２送風装置５０によって供給される空気を、導風部３１内に導くものである。送風管３２の下端部３２ｂは、第２送風装置５０と接続され、送風管３２の上端部３２ａは、導風部３１と接続される。送風管３２は、上下方向（Ｚ軸方向）に延設され、導風部３１の側壁部３１ｇに沿って配置されている。導風部３１の側壁部３１ｇは、上下方向（Ｚ軸方向）に延設された壁であり、洗浄槽２０の前壁部２０ｃと、導風部３１の導風前壁部３１ａとの間に配置されている壁である。すなわち、送風管３２は、導風部３１の左右方向（Ｘ軸方向）において、導風部３１の側方に配置されている。送風管３２の上端部３２ａは、導風部３１の側壁部３１ｇ側に曲折して側壁部３１ｇの上端部３１ｇ１と接続する。なお、図５では、送風管３２は、導風部３１の左右方向（Ｘ軸方向）において、導風部３１の左側（Ｘ１側）に配置され、上端部３１ｇ１は、右側（Ｘ２）に向かって曲折して導風部３１の左側（Ｘ１側）の側壁部３１ｇと接続されている。しかし、送風管３２と導風部３１との配置関係は当該構成に限定されるものではない。たとえば、送風管３２は、導風部３１の左右方向（Ｘ軸方向）において、導風部３１の右側（Ｘ２側）に配置され、上端部３１ｇ１は、左側（Ｘ１）に向かって曲折して導風部３１の右側（Ｘ２側）の側壁部３１ｇと接続されてもよい。
【００２３】
（導風部３１）
図６は、図３の洗浄槽２０と排気機構部３０のＣ−Ｃ線断面図である。図６を用いて導風部３１の内部構成について説明する。導風部３１は、洗浄槽２０の内部と、ドア部１１の外部とを連通させる排気経路を形成する。洗浄槽２０内の空気は、第１送風装置１４により洗浄槽２０の外部から洗浄槽２０内に供給される空気によって、導風部３１を介して洗浄槽２０から食器洗浄機１００の外部に排出される。導風部３１は、箱状に形成されており、ドア部１１と対向する面を構成する導風前壁部３１ａを有する。この導風前壁部３１ａの下端部には、ドア部１１の排気口１１ａと連通する内部排気口３４が形成されている。導風部３１は、洗浄槽２０の前壁部２０ｃに形成された吸気口３５と、ドア部１１に形成された排気口１１ａとの間の空気の排出経路を形成する。導風部３１は、洗浄槽２０の前壁部２０ｃと対向する導風後壁部３１ｂを有する。導風後壁部３１ｂは、洗浄槽２０の前壁部２０ｃと対向する面と反対側の面が洗浄槽２０の前壁部２０ｃと対向する。導風後壁部３１ｂは、洗浄槽２０の前壁部２０ｃに形成された側部開口３３に配置されている。導風後壁部３１ｂの上下方向（Ｚ軸方向）の長さは、導風前壁部３１ａの上下方向の長さよりも小さい。導風後壁部３１ｂと導風前壁部３１ａとの間には、中間壁部３１ｃが配置されている。中間壁部３１ｃの上下方向（Ｚ軸方向）の長さは、導風後壁部３１ｂの上下方向の長さよりも大きい。また、中間壁部３１ｃの上下方向（Ｚ軸方向）の長さは、導風前壁部３１ａの上下方向の長さよりも小さい。導風前壁部３１ａと導風後壁部３１ｂとは、導風部３１の天面を形成する天井壁部３１ｄと連続して形成されている。中間壁部３１ｃと、天井壁部３１ｄとの間には空間が形成されている。すなわち、導風部３１内は、中間壁部３１ｃが、導風前壁部３１ａと導風後壁部３１ｂとの間の空間を区画し、中間壁部３１ｃと導風前壁部３１ａとの間に形成された空間と、中間壁部３１ｃと導風後壁部３１ｂとの間に形成された空間とが上方で連通している。なお、導風前壁部３１ａと中間壁部３１ｃとは、底面を形成する底壁部３１ｅと連続して形成されている。導風前壁部３１ａと導風後壁部３１ｂの左右方向（Ｘ軸方向）の両端部において、導風前壁部３１ａと導風後壁部３１ｂとの間は、図５に示す側壁部３１ｇで覆われている。また、導風前壁部３１ａと中間壁部３１ｃの左右方向（Ｘ軸方向）の両端部において、導風前壁部３１ａと中間壁部３１ｃとの間は、図５に示す側壁部３１ｇで覆われている。
【００２４】
図６に戻り、導風部３１は、上下方向（Ｚ軸方向）の中間位置において、中間壁部３１ｃから洗浄槽２０の前壁部２０ｃに向かって延設された中間底壁部３１ｆを有する。導風部３１は、中間底壁部３１ｆと、導風後壁部３１ｂとによって、中間底壁部３１ｆと導風後壁部３１ｂとの間に内部吸気口３６が形成されている。内部吸気口３６は、洗浄槽２０の前壁部２０ｃに形成された側部開口３３において、側部開口３３の下端部に形成された吸気口３５と連通する。図６に示すように、鉛直方向（Ｚ軸方向）において、導風前壁部３１ａの下端部に形成された内部排気口３４は、吸気口３５よりも下方に形成されている。なお、図６に示すように、洗浄槽２０の前壁部２０ｃは、上端部２０ｃ１が下端部２０ｃ２よりもドア部１１側（Ｙ１側）に位置するように傾斜している。そのため、食器洗浄機１００は、前壁部２０ｃの下端部２０ｃ２とドア部１１との間の距離が、前壁部２０ｃの上端部２０ｃ１とドア部１１との間の距離よりも大きい。そして、洗浄槽２０とドア部１１との間にできる空間は、鉛直方向（Ｚ軸方向）において、洗浄槽２０の上方から下方に向かうにつれて広くなる。
【００２５】
図７は、図６の洗浄槽２０のＤ部における排気機構部３０の拡大図である。図７に示す白抜き矢印は、洗浄槽２０から、食器洗浄機１００の外部に排出される空気の流れを示すものである。導風部３１内には、導風後壁部３１ｂと中間壁部３１ｃとの間に上昇経路４０が形成されている。上昇経路４０は、第１送風装置１４の作動によって、洗浄槽２０の吸気口３５から導風部３１内に浸入した空気が、導風部３１内において、吸気口３５から上方に向かう管路を形成する部分である。上昇経路４０は、導風後壁部３１ｂ、中間壁部３１ｃ、側壁部３１ｇ、天井壁部３１ｄによって形成されている。また、導風部３１内には、導風前壁部３１ａと、中間壁部３１ｃとの間に下降経路４１が形成されている。下降経路４１は、導風部３１内において、上昇経路４０を通過した空気が、上昇経路４０の上端部４０ｃから下方に向かう管路を形成する部分である。下降経路４１は、導風前壁部３１ａ、中間壁部３１ｃ、側壁部３１ｇ、天井壁部３１ｄ、底壁部３１ｅによって形成されている。下降経路４１は、上端部４１ｂが上昇経路４０と連通し、下端部４１ｃには内部排気口３４が形成されており、下端部４１ｃの内部排気口３４はドア部１１の排気口１１ａと連通する。送風管３２の上端部３２ａは、下降経路４１の上端部４１ｂにおいて、上昇経路４０から下降経路４１に向かう空気の流れ方向の側方に接続されている。
【００２６】
図７に示すように、上昇経路４０と下降経路４１とは、洗浄槽２０の前壁部２０ｃ側からドア部１１側に向かって、上昇経路４０、下降経路４１の順に形成されている。また、下降経路４１の上下方向（Ｚ軸方向）の長さは、上昇経路４０の上下方向の長さよりも大きい。上昇経路４０と下降経路４１とが連通する導風部３１内の上部空間には、シャッター３７が設けられている。シャッター３７は、洗浄槽２０内から食器洗浄機１００の外部に排出される空気が導風部３１内を空気が流れるときは、上昇経路４０と下降経路４１とが連通する導風部３１内の上部空間を開放して、上昇経路４０と下降経路４１とを連通させる。シャッター３７は、洗浄槽２０内から食器洗浄機１００の外部に排出される空気が導風部３１内を流れないときは、上昇経路４０と下降経路４１とが連通する導風部３１内の上部空間を閉じて上昇経路４０と下降経路４１とを遮断する。導風部３１は、シャッター３７を有することで、下降経路４１内の湿気を防いで結露を防止する。その結果、食器洗浄機１００は、内部排気口３４から排気口１１ａを介して食器洗浄機１００の外部に結露水が流出することを防ぐことができる。
【００２７】
上昇経路４０には、洗浄槽２０内から食器洗浄機１００の外部に排出される空気の進行方向に対して交互に突出する下突出壁部４０ａと、上突出壁部４０ｂとが設けられている。下突出壁部４０ａは、導風後壁部３１ｂから中間壁部３１ｃに向かって突出する壁である。下突出壁部４０ａの先端部と導風後壁部３１ｂとの間には空間が形成されている。上突出壁部４０ｂは、中間壁部３１ｃから導風後壁部３１ｂに向かって突出する壁である。上突出壁部４０ｂの先端部と中間壁部３１ｃとの間には空間が形成されている。導風部３１は、上昇経路４０内に下突出壁部４０ａと上突出壁部４０ｂとが形成されていることで、上昇経路４０内の管路を蛇行させて管路を長く形成できる。そのため、導風部３１は、上昇経路４０内を流れる空気の温度を低下させることができる。また、導風部３１は、上昇経路４０内に下突出壁部４０ａと上突出壁部４０ｂとが形成されていることで上昇経路４０内の管路が吸気口３５から上方に向かって前後方向（Ｙ軸方向）に曲折される。そのため、導風部３１は、吸気口３５から導風部３１内に入り込む洗浄槽２０内の洗浄水が、上昇経路４０の上方に移動することを妨げることができる。
【００２８】
下降経路４１の上端部４１ｂには、貫通孔である空気取入口４１ａが形成されている。より詳細には、空気取入口４１ａは、導風部３１の側壁部３１ｇに形成されている。この空気取入口４１ａには、送風管３２の上端部３２ａが接続されている。すなわち、送風管３２の上端部３２ａは、下降経路４１の上端部４１ｂに接続されている。そのため、導風部３１内において、送風管３２の下端部３２ｂに接続された第２送風装置５０により供給される空気が、下降経路４１の上端部４１ｂに供給される。下降経路４１には、空気取入口４１ａの下方に、空気取入口４１ａから供給される洗浄槽２０の外部の空気と、上昇経路４０から供給される洗浄槽２０内から排出される空気とが混合される混合室４３が形成されている。導風部３１は、混合室４３において、洗浄槽２０の外部の空気と洗浄槽２０内から排出される空気とを混合させることで、食器洗浄機１００の排気口１１ａから食器洗浄機１００の外部に排出される空気の温度及び湿度を調整する。
【００２９】
［食器洗浄機１００の動作］
次に、食器洗浄機１００により食器類８０を洗浄及び乾燥する場合の動作について説明する。まず、使用者が、手掛け部１７に手を掛けてドア部１１を正面側（Ｙ１側）に引くと、筐体１０から洗浄槽２０が引き出される。そして、使用者は、洗浄槽２０の上面開口部２０ａから、洗浄槽２０内に配置された食器かご８１に食器類８０を載置する。そして、使用者によって、洗浄槽２０内に適量の洗剤が入れられ、ドア部１１が閉じられると、洗浄槽２０が筐体１０内に押し込まれて収容される。そして、洗浄槽２０は、保持機構１６によってドア部１１が閉じられた位置で保持される。
【００３０】
次に、使用者により操作パネル１９に設けられた運転スイッチ１９ａ２が押されたら、食器洗浄機１００は動作を開始する。なお、食器洗浄機１００の動作は、制御装置１８によって制御され、洗浄工程、すすぎ工程、加熱すすぎ工程、乾燥工程の順に進行していく。
【００３１】
使用者によって、運転スイッチ１９ａ２が押されたら、制御装置１８は、まず洗浄工程を開始する。食器洗浄機１００は、洗浄工程が開始されたら、まず給水弁１２が開かれ、洗浄槽２０内へ洗浄用の水道水の給水が行われる。このとき、洗浄槽２０内の水位は、水位検知装置２３にて検知されている。そして、制御装置１８は、水位検知装置２３より洗浄槽２０内の水位が所定の水位に達したことを検知したら、給水弁１２を閉じる。
【００３２】
次に、制御装置１８は、湯沸かしヒーター２５に通電し、洗浄槽２０に貯留した洗浄用水を加熱するとともに、加圧ポンプ２６に通電し、その洗浄用水に圧力を与え、軸部２７を介して洗浄ノズル２８に洗浄用水を供給する。なお、洗浄用水は、洗浄槽２０に貯留した水道水に洗剤を含ませた水である。そして、洗浄ノズル２８に形成された噴射口（図示せず）から洗浄用水が食器類８０に噴射される。このとき、洗浄ノズル２８は、洗浄用水の噴射量に応じた反力によって、軸部２７を中心に所定の方向に回転し、回転しながら食器類８０に洗浄用水を万遍なく噴射し、食器類８０を洗浄していく。この食器洗浄機１００は、洗浄ノズル２８を回転させるためのモータなどの駆動手段を別途設けることなく、洗浄ノズル２８から噴射させる洗浄用水によって洗浄ノズル２８を回転させるように構成されている。
【００３３】
ここで、食器洗浄機１００では、洗浄工程における洗浄は、洗浄槽２０に貯留した洗浄用水を循環させながら行われる。食器洗浄機１００は、洗浄槽２０の底壁部２０ｂへ落下した洗浄用水を集め、再び加圧ポンプ２６にて圧力を与え、洗浄ノズル２８を利用して食器類８０に洗浄用水を噴射することを繰り返すものである。なお、洗浄槽２０の上面開口部２０ａは、蓋体２１により閉塞されているので、洗浄用水が洗浄槽２０の外部に飛散することはない。
【００３４】
また、食器洗浄機１００における洗浄は、湯沸かしヒーター２５により洗浄用水を加熱しながら行うものであり、その洗浄用水の温度は、洗剤に含まれる酵素の能力を最大限に発揮できる温度にするのが通常であり、概ね６０℃程度に設定される。この洗浄用水の温度は、水温検知装置２４によって検知されている。そして、制御装置１８は、水温検知装置２４によって洗浄用水の温度が所定の温度に達したことを検知したら、湯沸かしヒーター２５の通電を停止する。
【００３５】
洗浄工程が開始され、所定の時間が経過したら、制御装置１８は、湯沸かしヒーター２５及び加圧ポンプ２６の通電を停止するとともに、排水ポンプ２９に通電し、洗浄槽２０内に貯留した洗浄用水を筐体１０から外部に排水する。そして、筐体１０から排水が完了したら、制御装置１８は、排水ポンプ２９への通電を停止し、これにより食器洗浄機１００は、洗浄工程が終了する。
【００３６】
洗浄工程が終了したら、制御装置１８は、続いてすすぎ工程を開始するが、基本的な動作は洗浄工程とほぼ同様である。制御装置１８は、まず、給水弁１２を開き、洗浄槽２０内へすすぎ用の水道水の給水を行う。そして、制御装置１８は、水位検知装置２３により洗浄槽２０内の水位が所定の水位に達したことを検知したら、給水弁１２を閉じる。
【００３７】
次に、制御装置１８は、加圧ポンプ２６に通電し、洗浄槽２０に貯留したすすぎ用水に圧力を与え、軸部２７を介してすすぎ用水を洗浄ノズル２８に供給する。そして、洗浄ノズル２８に供給されたすすぎ用水は、洗浄ノズル２８の噴射口（図示せず）から食器類８０に噴射される。この噴射されたすすぎ用水は、食器類８０にかけられ、食器類８０に残った洗浄用水及び微細な汚れを落とす。
【００３８】
そして、すすぎ工程が開始され、所定の時間が経過したら、制御装置１８は、加圧ポンプ２６の通電を停止するとともに、排水ポンプ２９に通電し、洗浄槽２０内に貯留したすすぎ用水を外部に排水する。すすぎ工程では、この一連の動作が数回繰り返して行われる。なお、このすすぎ工程では、湯沸かしヒーター２５によるすすぎ用水の加熱は行われない。
【００３９】
すすぎ工程が終了したら、制御装置１８は、続いて加熱すすぎ工程を開始するが、基本的な動作は洗浄工程あるいはすすぎ工程と同様であり、上述したすすぎ工程において、すすぎ用水が湯沸かしヒーター２５によって加熱されている点が異なる。そのすすぎ用水の温度は、洗浄の最後を仕上げるために、そして、食器類８０の温度を上げて乾燥性能を高めるために、洗浄用水の温度よりも高い温度にするのが通常であり、概ね７０℃以上（Ｏ−１５７対策では７５℃以上）に設定される。
【００４０】
加熱すすぎ工程が終了したら、制御装置１８は、最後の工程である乾燥工程を開始する。制御装置１８は、乾燥工程を開始したら、まず第１送風装置１４及び乾燥用ヒーター１３に通電する。その後、第１送風装置１４によって、乾燥用ヒーター１３に空気が導入され、導入された空気が乾燥用ヒーター１３で加熱された後に、加熱された空気が洗浄槽２０内に供給される。乾燥用ヒーター１３によって加熱された空気は、第１送風装置１４によって洗浄槽２０内に供給され、食器類８０及び洗浄槽２０の内面を乾燥させる。そして、これらを乾燥させた空気は、第１送風装置１４による洗浄槽２０内への新たな空気の供給によって、洗浄槽２０の吸気口３５から排気機構部３０の導風部３１に排出される。また、制御装置１８は、第２送風装置５０に通電し、洗浄槽２０の外部の空気を排気機構部３０の導風部３１に供給する。
【００４１】
洗浄槽２０内から導風部３１内に排出された空気は、内部吸気口３６から上昇経路４０を通り、導風部３１内の上方に移動する。そして、上昇経路４０を通過した空気は、下降経路４１に移動して、下降経路４１を下降する。また、第２送風装置５０によって洗浄槽２０の外部で吸い込まれた空気が、送風管３２を介して下降経路４１の上端部４１ｂに形成された空気取入口４１ａから下降経路４１内に供給される。そして、下降経路４１に形成された混合室４３において、空気取入口４１ａから供給される洗浄槽２０の外部の空気と、上昇経路４０から供給される洗浄槽２０内の空気とが混合される。洗浄槽２０内から導風部３１内に排出された空気は、混合室４３で第２送風装置５０によって供給される洗浄槽２０の外部の空気と混合されることで、温度及び湿度が調整される。下降経路４１を下降しながら混合室４３で温度及び湿度が調整された空気は、下降経路４１の下端部４１ｃに形成された内部排気口３４と、ドア部１１に形成された排気口１１ａとを通じて排気機構部３０から食器洗浄機１００の外部に排出される。
【００４２】
そして、乾燥工程が開始され、所定の時間が経過したら、制御装置１８は、第１送風装置１４、乾燥用ヒーター１３、第２送風装置５０の通電を停止し、これにより、乾燥工程が終了する。乾燥工程が終了したら、食器洗浄機１００によって実行される全ての工程が完了となる。
【００４３】
全ての工程が完了したら、使用者により食器類８０を取り出す作業が行われる。洗浄槽２０内の食器かご８１に食器類８０が載置されたときと同様に、使用者が、手掛け部１７に手を掛けてドア部１１を正面側（Ｙ１側）に引くと、筐体１０から洗浄槽２０が引き出される。そして、使用者によって、洗浄槽２０の上面開口部２０ａから、食器かご８１に載置された食器類８０が取り出される。その後、使用者によって、ドア部１１が閉じられると、洗浄槽２０が筐体１０内に押し込まれて収容される。
【００４４】
本発明による食器洗浄機１００は、上昇経路４０と下降経路４１とを形成する導風部３１と、導風部３１に洗浄槽２０の外部の空気を供給する第２送風装置５０と、導風部３１と第２送風装置５０とを接続する送風管３２と、を有する。そして、食器洗浄機１００は、送風管３２の上端部３２ａが下降経路４１の上端部４１ｂに接続され、送風管３２の下端部３２ｂに接続された第２送風装置５０により供給される空気が下降経路４１に供給される。そして、下降経路４１が洗浄槽２０から排出される空気と洗浄槽２０の外部の空気とが混合される混合室４３を形成するものである。この混合室４３内では、洗浄槽２０内から導風部３１内に排出された空気が、第２送風装置５０によって供給される洗浄槽２０の外部の空気と混合されることで、温度及び湿度が調整される。その結果、キッチンテーブルを構成する化粧板は、食器洗浄機１００の外部に排出される洗浄槽２０内の空気によって温度変化及び湿気を受けることがない。また、食器洗浄機１００は、食器洗浄機１００の外部に排出される洗浄槽２０内の空気の温度を低下させることで使用者のやけどを防止することができる。
【００４５】
また、食器洗浄機１００は、制御装置１８が、第１送風装置１４の電源を入れ又は電源を切り、第１送風装置１４から洗浄槽２０内に送風される空気の風量を調整する。その結果、制御装置１８は、洗浄槽２０から食器洗浄機１００の外部に排出される空気の温度及び湿度を調整することができる。同様に、制御装置１８は、第２送風装置５０の電源を入れ又は電源を切り、第２送風装置５０から後述する導風部３１に供給される空気の風量を調整する。その結果、制御装置１８は、洗浄槽２０から食器洗浄機１００の外部に排出される空気の温度及び湿度を更に調整することができる。さらに、制御装置１８は、第１送風装置１４の電源を入れ又は電源を切り、第１送風装置１４から洗浄槽２０内に送風される空気の風量を調整する。そして、制御装置１８は、第１送風装置１４の制御と共に、第２送風装置５０の電源を入れ又は電源を切り、第２送風装置５０から後述する導風部３１に供給される空気の風量を調整する。その結果、制御装置１８は、洗浄槽２０から食器洗浄機１００の外部に排出される空気の温度及び湿度を更に調整することができる。
【００４６】
また、食器洗浄機１００は、送風管３２の上端部３２ａが、下降経路４１の上端部４１ｂにおいて、上昇経路４０から下降経路４１に向かう空気の流れ方向の側方に接続されている。そのため、混合室４３内では、洗浄槽２０内から導風部３１内に排出された空気と、第２送風装置５０によって供給される洗浄槽２０の外部の空気とを混合させやすく、食器洗浄機１００の外部に排出される空気の温度及び湿度を調整し易い。
【００４７】
また、第２送風装置５０は、導風部３１の下方に配置されている。第２送風装置５０を、導風部３１の下方に配置することで、食器洗浄機１００は、食器洗浄機１００の下方に位置する温度の低い空気を吸い込むことができ、低い温度の空気を導風部３１内に供給することができる。その結果、食器洗浄機１００は、洗浄槽２０から食器洗浄機１００の外部に排出される空気の温度と湿度を更に調整しやすくなる。
【００４８】
実施の形態２．
図８は、本発明の実施の形態２の食器洗浄機１００の洗浄槽２０の正面図である。図９は、図８の洗浄槽２０のＥ部における排気機構部３０の拡大図である。図９に示す白抜き矢印は、第２送風装置５０から、導風部３１内に供給される空気の流れを示すものである。また、図８及び図９に示す膨出部３８は、膨出部３８内の構成部品の位置関係を示すために、膨出部３８の内部を示している。実施の形態２の食器洗浄機１００では、図１〜図７の食器洗浄機１００と同一の構成を有する部位には同一の符号を付してその説明を省略し、図１〜図７の食器洗浄機１００と異なる特徴部分を説明する。
【００４９】
排気機構部３０の導風部３１は、膨出部３８を有する。膨出部３８は、図８及び図９に示すように、下降経路４１の上方に位置する天井壁部３１ｄが上方に膨出している部分である。膨出部３８は、膨出部３８の内部空間が下降経路４１と連通している。膨出部３８は、天井壁部３１ｄの左右方向（Ｘ軸方向）において、送風管３２が配置されている側の天井壁部３１ｄの端部３１ｄ１に形成されている。送風管３２の上端部３２ａは、図９に示すように、左右方向（Ｘ軸方向）に曲折して、膨出部３８において側壁部３１ｇの上端部３１ｇ１と接続されている。すなわち、送風管３２は、導風部３１の左右方向（Ｘ軸方向）となる側方に接続されている。図９に示すように、膨出部３８の内部には、風向板３９が配置されている。風向板３９は、送風管３２の先端部３２ｃと対向するように配置されている。すなわち、風向板３９は、膨出部３８内において、第２送風装置５０によって送風管３２から導風部３１内に供給される空気の進行方向に配置されている。
【００５０】
風向板３９は、板状に形成されており、鉛直方向において、風向板３９の上端部３９ａは送風管３２の先端部３２ｃよりも上方に位置し、風向板３９の下端部３９ｂは送風管３２の先端部３２ｃと同じか下方に位置している。風向板３９は、上端部３９ａと送風管３２の先端部３２ｃとの間の距離が、下端部３９ｂと先端部３２ｃとの間の距離よりも小さくなるように先端部３２ｃ側に傾斜して設けられている。そのため、鉛直方向において、下方に向かうに従い、風向板３９と送風管３２との間の距離が大きくなっている。食器洗浄機１００は、膨出部３８と、膨出部３８内に設けられた風向板３９とを有することで、下降経路４１に上方から風速を上げて第２送風装置５０により供給される空気を供給することができる。なお、風向板３９の上端部３９ａは、送風管３２の先端部３２ｃ側に湾曲していることが望ましい。上端部３９ａが、送風管３２の先端部３２ｃ側に湾曲していることで、送風管３２から供給される空気が、風向板３９に沿って流れやすくなり、送風管３２から供給される空気の圧力損失を更に低減させることができる。
【００５１】
以上のように、食器洗浄機１００は、導風部３１に膨出部３８と、膨出部３８内に設けられた風向板３９とを有する。そして、鉛直方向において、風向板３９と送風管３２との間の距離が下方に向かうに従い大きくなっている。そのため、食器洗浄機１００は、第２送風装置５０により導風部３１内に供給される空気の圧力損失を低減させることができ、下降経路４１に上方から風速を上げて空気を供給することができる。その結果、食器洗浄機１００は、洗浄槽２０から食器洗浄機１００の外部に排出される空気の温度と湿度を更に調整しやすくなる。
【００５２】
また、食器洗浄機１００は、風向板３９の上端部３９ａが、送風管３２の先端部３２ｃ側に湾曲している。風向板３９の上端部３９ａが、送風管３２の先端部３２ｃ側に湾曲していることで、送風管３２から供給される空気が、風向板３９に沿って流れやすくなり、送風管３２から供給される空気の圧力損失を更に低減させることができる。
【００５３】
実施の形態３．
図１０は、本発明の実施の形態３の食器洗浄機１００の洗浄槽２０の斜視図である。図１１は、図１０の延設部２０ｄ１のＦ部における断面図である。実施の形態３の食器洗浄機１００では、図１〜図９の食器洗浄機１００と同一の構成を有する部位には同一の符号を付してその説明を省略し、図１〜図９の食器洗浄機１００と異なる特徴部分を説明する。
【００５４】
洗浄槽２０は、前壁部２０ｃと、前壁部２０ｃと対向する後壁部２０ｅと、前壁部２０ｃと後壁部２０ｅとの左右方向（Ｘ軸方向）の両端部において、前壁部２０ｃと後壁部２０ｅとの間に位置し互いに対向する側壁部２０ｄとを有する。洗浄槽２０は、前壁部２０ｃと、後壁部２０ｅと、互いに対向する側壁部２０ｄとによって側面が形成されている。また、洗浄槽２０は、前壁部２０ｃと、後壁部２０ｅと、互いに対向する側壁部２０ｄとの上端部によって上面開口部２０ａが形成されている。洗浄槽２０は、前壁部２０ｃと、後壁部２０ｅと、互いに対向する側壁部２０ｄとの下端部に底壁部２０ｂを有する。洗浄槽２０は、前壁部２０ｃと、後壁部２０ｅと、互いに対向する側壁部２０ｄと、底壁部２０ｂとによって、上面が開口した箱状に形成されている。互いに対向する側壁部２０ｄのそれぞれは、前壁部２０ｃからドア部１１に向かって延長された延設部２０ｄ１を有する。延設部２０ｄ１は、前壁部２０ｃとドア部１１との間に位置する側壁部２０ｄの一部である。延設部２０ｄ１には、複数の貫通孔４５が形成されている。貫通孔４５は、洗浄槽２０のドア部１１側の端縁部に沿って上下方向に配列されている。食器洗浄機１００は、延設部２０ｄ１に複数の貫通孔４５が形成されていることで、洗浄槽２０の前壁部２０ｃとドア部１１との間に形成された空間に、洗浄槽２０の外部の温度の低い空気を取り込むことができる。その結果、前壁部２０ｃに取り付けられている第２送風装置５０は、温度の低い空気を取り込むことができる。なお、延設部２０ｄ１に形成される貫通孔４５は、図１１に示すように、延設部２０ｄ１の一部が切り起こされて鎧板４５ａを備えた鎧窓状に構成されてもよい。
【００５５】
以上のように、洗浄槽２０は、複数の貫通孔４５が上下方向に配列された延設部２０ｄ１を有する。食器洗浄機１００は、延設部２０ｄ１に複数の貫通孔４５が形成されていることで、洗浄槽２０の前壁部２０ｃとドア部１１との間に形成された空間に、洗浄槽２０の外部の温度の低い空気を取り込むことができる。そのため、前壁部２０ｃに取り付けられている第２送風装置５０は、温度の低い空気を取り込むことができる。その結果、食器洗浄機１００は、洗浄槽２０から食器洗浄機１００の外部に排出される空気の温度と湿度を更に調整しやすくなる。
【００５６】
また、延設部２０ｄ１に形成される貫通孔４５は、延設部２０ｄ１の一部が切り起こされて鎧板４５ａを備えた鎧窓状に構成されている。食器洗浄機１００は、貫通孔４５を鎧窓状に構成することで、洗浄槽２０の前壁部２０ｃとドア部１１との間に形成された空間に外部から水が浸入することを防止することができ、制御装置１８に水がかかることを抑制することができる。
【００５７】
なお、本発明の実施の形態は、上記実施の形態１〜３に限定されない。たとえば、図３に示すように、制御装置１８は、前壁部２０ｃの右下部取り付けられている。また、排気機構部３０は、前壁部２０ｃの左上部に取り付けられている。食器洗浄機１００は、当該構成に限定されるものではなく、例えば、制御装置１８が、前壁部２０ｃの左下部取り付けられ、排気機構部３０が、前壁部２０ｃの右上部に取り付けられてもよい。
【符号の説明】
【００５８】
１０  筐体、１０ａ  前面開口部、１１  ドア部、１１ａ  排気口、１２  給水弁、１３  乾燥用ヒーター、１４  第１送風装置、１５  固定レール、１６  保持機構、１７  手掛け部、１８  制御装置、１９  操作パネル、１９ａ  操作部、１９ａ１  電源スイッチ、１９ａ２  運転スイッチ、２０  洗浄槽、２０ａ  上面開口部、２０ｂ  底壁部、２０ｃ  前壁部、２０ｃ１  上端部、２０ｃ２  下端部、２０ｄ  側壁部、２０ｄ１  延設部、２０ｅ  後壁部、２１  蓋体、２２  凹部、２３  水位検知装置、２４  水温検知装置、２５  湯沸かしヒーター、２６  加圧ポンプ、２７  軸部、２８  洗浄ノズル、２９  排水ポンプ、２９ａ  排水配管、３０  排気機構部、３１  導風部、３１ａ  導風前壁部、３１ｂ  導風後壁部、３１ｃ  中間壁部、３１ｄ  天井壁部、３１ｄ１  端部、３１ｅ  底壁部、３１ｆ  中間底壁部、３１ｇ  側壁部、３１ｇ１  上端部、３２  送風管、３２ａ  上端部、３２ｂ  下端部、３２ｃ  先端部、３３  側部開口、３４  内部排気口、３５  吸気口、３６  内部吸気口、３７  シャッター、３８  膨出部、３９  風向板、３９ａ  上端部、３９ｂ  下端部、４０  上昇経路、４０ａ  下突出壁部、４０ｂ  上突出壁部、４０ｃ  上端部、４１  下降経路、４１ａ  空気取入口、４１ｂ  上端部、４１ｃ  下端部、４３  混合室、４５  貫通孔、４５ａ  鎧板、５０  第２送風装置、８０  食器類、８１  食器かご、１００  食器洗浄機。
【図１】
2019165819.tif 000003
【図２】
2019165819.tif 000004
【図３】
2019165819.tif 000005
【図４】
2019165819.tif 000006
【図５】
2019165819.tif 000007
【図６】
2019165819.tif 000008
【図７】
2019165819.tif 000009
【図８】
2019165819.tif 000010
【図９】
2019165819.tif 000011
【図１０】
2019165819.tif 000012
【図１１】
2019165819.tif 000013